(57)【要約】【課題】ユーザに大きな出費を強いることなく、現在地近辺の多くの有用な情報を取得できるようにする、装置及びこの装置を用いたナビゲーションシステムを提供する。【解決手段】特定のＧＰＳ端末１２側から送信されてくる現在地に対応する緯度経度情報が受信され、緯度経度とこの緯度経度に対応する地図１３′上の位置とを関連づけたテーブルが参照されて、受信した緯度経度情報に対応する地図上の位置が索引情報として抽出される。そして、この索引情報が、緯度経度情報を送信してきたＧＰＳ端末１２側に返送される。したがって、移動体側であるユーザは、受信した索引情報及び携帯する書籍に印刷された地図１３′を参照して、現在地を即座に確認できる。【選択図】      図１
2004264108.tif 000002
【特許請求の範囲】
【請求項１】
地図を含む書籍と特定のＧＰＳ端末とを携帯する移動体側に、この移動体の現在地に対応する前記地図上の位置を知らしめるための索引情報を提供する装置であって、
前記特定のＧＰＳ端末側から送信されてくる現在地に対応する緯度経度情報を受信する受信手段と、
緯度経度とこの緯度経度に対応する前記地図上の位置とを関連づけたテーブルを格納する格納手段と、
前記テーブルを参照して、受信した緯度経度情報に対応する前記位置を抽出する抽出手段と、
抽出した前記位置を前記索引情報として、前記緯度経度情報を送信してきた前記特定のＧＰＳ端末側に送信する送信手段と、
を備えることを特徴とする索引情報提供装置。
【請求項２】
請求項１記載の索引情報提供装置において、
前記位置は、緯度経度に対応する地図が印刷された頁とこの頁に付された索引とで示される、
ことを特徴とする索引情報提供装置。
【請求項３】
請求項１又は２記載の索引情報提供装置において、
前記特定のＧＰＳ端末からは書籍を特定する書籍情報も送信され、
前記受信手段は、前記緯度経度情報と共に前記書籍情報も受信し、
前記格納手段は、書籍毎に前記緯度経度と前記位置とを関連づけたテーブルを格納し、
前記抽出手段は、前記テーブルを参照して、受信した書籍情報に該当する書籍における受信した緯度経度情報に該当する位置とを前記索引情報として抽出し、
前記送信手段は、前記索引情報を、前記緯度経度情報及び前記書籍情報を送信してきた前記特定のＧＰＳ端末側に送信する、
ことを特徴とする索引情報提供装置。
【請求項４】
請求項１〜３のいずれか一項に記載の索引情報提供装置において、
前記特定のＧＰＳ端末は、ＧＰＳ付携帯電話である、
ことを特徴とする索引情報提供装置。
【請求項５】
請求項１〜３のいずれか一項に記載の索引情報提供装置において、
前記書籍は、前記地図上の位置に対応する走行ガイド及び観光ガイドが付された地図帳である、
ことを特徴とする索引情報提供装置。
【請求項６】
地図を含む書籍と特定のＧＰＳ端末とを携帯する移動体側と、この移動体の現在地に対応する前記地図上の位置を知らしめるための索引情報を提供する索引情報提供装置側とから構成されるナビゲーションシステムであって、
前記特定のＧＰＳ端末は、
所定操作に応じて自端末の現在地に対応する緯度経度情報を取得してこれを送信する手段と前記索引情報を受信してこれを表示する手段と、を備え、
前記索引情報提供装置は、
前記特定のＧＰＳ端末側から送信されてくる前記緯度経度情報を受信する受信手段と、
緯度経度とこの緯度経度に対応する前記地図上の位置とを関連づけたテーブルを格納する格納手段と、
前記テーブルを参照して、受信した緯度経度情報に対応する前記位置を抽出する抽出手段と、
抽出した前記位置を前記索引情報として、前記緯度経度情報を送信してきた前記特定のＧＰＳ端末側に送信する送信手段と、を備える、
ことを特徴とするナビゲーションシステム。
【発明の詳細な説明】
【０００１】
【発明の属する技術分野】
本発明は、地図を含む書籍と特定のＧＰＳ端末とを携帯する移動体側に、この移動体の現在地に対応する地図上の位置を知らしめるための索引情報を提供する装置及びこの装置を用いたナビゲーションシステムに関する。
【０００２】
【従来の技術】
近年、目的地までの最適なルートを自動検索し、電子地図や音声等で、ユーザを目的地まで誘導するナビゲーション装置が普及している。このナビゲーション装置は、周知のように、例えば車両のフロント部に取付られて、そのディスプレイ上に、電子地図と共に検索ルートや、その他の道路、地名、ランドマーク、施設等を所狭しと表示する。
【０００３】
【非特許文献１】
ツーリングマップル  ３  関東甲信越、「昭文社」、２００２年４月
２版１６刷発行、５７頁
【０００４】
【発明が解決しようとする課題】
ところで、このようなナビゲーション装置は、スペース制約や安全運転の観点から、ディスプレイを小型にせざるを得ない。したがって、市販されるロードマップやツーリングマップ等の地図帳と比較して、一度に表示できる情報量が遥かに少なくなるという問題がある。また、ディスプレイの解像度にも限界があり、細かい文字が表示できないため、一度に表示できる情報量が更に少なくなるという問題があった。
【０００５】
例えば、図７に示すように、上記非特許文献１における地図帳１３の５７頁には、所定地域の地図に１３ｅ、１３ｆで示すような地名、１３ｇ、１３ｈ、１３ｉで示すような種々の道路、１３ｊ、１３ｋ、１３ｌ、１３ｍで示すような走行ガイドや観光ガイド、１３ｏで示すような参照頁、１３ｐで示すような等高線等が、一頁内に十分視認可能なレベルで印刷されている。ところが、この頁の内容と同等の情報量をカーナビゲーション装置のディスプレイで一度に表示することは、ディスプレイの広さや解像度の点から困難である。また、カーナビゲーション装置は高価であるという大きな問題もある。
【０００６】
よって本発明は、上述した問題点に鑑み、ユーザに大きな出費を強いることなく、現在地近辺の多くの有用な情報を取得できるようにする、装置及びこの装置を用いたナビゲーションシステムを提供することを課題としている。
【０００７】
【課題を解決するための手段】
上記課題を解決するため本発明によりなされた請求項１記載の索引情報提供装置は、図１の基本構成図に示すように、地図１３′を含む書籍と特定のＧＰＳ端末１２とを携帯する移動体側に、この移動体の現在地に対応する前記地図１３′上の位置を知らしめるための索引情報を提供する装置４１であって、前記特定のＧＰＳ端末１２側から送信されてくる現在地に対応する緯度経度情報を受信する受信手段４１Ａと、緯度経度とこの緯度経度に対応する前記地図１３′上の位置とを関連づけたテーブルを格納する格納手段４１Ｂと、前記テーブルを参照して、受信した緯度経度情報に対応する前記位置を抽出する抽出手段４１Ｃと、抽出した前記位置を前記索引情報として、前記緯度経度情報を送信してきた前記特定のＧＰＳ端末１２側に送信する送信手段４１Ｄと、を備えることを特徴とする。
【０００８】
また、上記課題を解決するため本発明によりなされた請求項２記載の索引情報提供装置は、図１の基本構成図に示すように、請求項１記載の索引情報提供装置において、前記位置は、緯度経度に対応する地図１３′が印刷された頁とこの頁に付された索引とで示される、ことを特徴とする。
【０００９】
また、上記課題を解決するため本発明によりなされた請求項３記載の索引情報提供装置は、図１の基本構成図に示すように、請求項１又は２記載の索引情報提供装置において、前記特定のＧＰＳ端末１２からは書籍を特定する書籍情報も送信され、前記受信手段４１Ａは、前記緯度経度情報と共に前記書籍情報も受信し、前記格納手段４１Ｂは、書籍毎に前記緯度経度と前記位置とを関連づけたテーブルを格納し、前記抽出手段４１Ｃは、前記テーブルを参照して、受信した書籍情報に該当する書籍における受信した緯度経度情報に該当する位置とを前記索引情報として抽出し、前記送信手段４１Ｄは、前記索引情報を、前記緯度経度情報及び前記書籍情報を送信してきた前記特定のＧＰＳ端末１２側に送信する、ことを特徴とする。
【００１０】
また、上記課題を解決するため本発明によりなされた請求項４記載の索引情報提供装置は、図１の基本構成図に示すように、請求項１〜３のいずれか一項に記載の索引情報提供装置において、前記特定のＧＰＳ端末１２は、ＧＰＳ付携帯電話である、ことを特徴とする。
【００１１】
また、上記課題を解決するため本発明によりなされた請求項５記載の索引情報提供装置は、図１の基本構成図に示すように、請求項１〜３のいずれか一項に記載の索引情報提供装置において、前記書籍は、前記地図１３′上の位置に対応する走行ガイド及び観光ガイドが付された地図帳である、ことを特徴とする。
【００１２】
また、上記課題を解決するため本発明によりなされた請求項６記載のナビゲーションシステムは、図１の基本構成図に示すように、地図１３′を含む書籍と特定のＧＰＳ端末１２とを携帯する移動体側と、この移動体の現在地に対応する前記地図１３′上の位置を知らしめるための索引情報を提供する索引情報提供装置側とから構成されるナビゲーションシステムであって、前記特定のＧＰＳ端末１２は、所定操作に応じて自端末の現在地に対応する緯度経度情報を取得してこれを送信する手段と前記索引情報を受信してこれを表示する手段と、を備え、前記索引情報提供装置は、前記特定のＧＰＳ端末１２側から送信されてくる前記緯度経度情報を受信する受信手段４１Ａと、緯度経度とこの緯度経度に対応する前記地図１３′上の位置とを関連づけたテーブルを格納する格納手段４１Ｂと、前記テーブルを参照して、受信した緯度経度情報に対応する前記位置を抽出する抽出手段４１Ｃと、抽出した前記位置を前記索引情報として、前記緯度経度情報を送信してきた前記特定のＧＰＳ端末１２側に送信する送信手段４１Ｄと、を備える、ことを特徴とする。
【００１３】
請求項１及び６記載の発明によれば、特定のＧＰＳ端末側から送信されてくる現在地に対応する緯度経度情報が受信され、緯度経度とこの緯度経度に対応する地図上の位置とを関連づけたテーブルが参照されて、受信した緯度経度情報に対応する地図上の位置が索引情報として抽出される。そして、この索引情報が、緯度経度情報を送信してきた特定のＧＰＳ端末側に返送される。したがって、移動体側では、受信した索引情報及び携帯する書籍に印刷された地図を参照して、現在地を即座に確認できる。
【００１４】
また、請求項２記載の発明によれば、緯度経度に対応する地図が印刷された頁とこの頁に付された索引とで現在地が示されるので、既成の書籍に新たに手を加える必要がない。
【００１５】
また、請求項３記載の発明によれば、上述のような緯度経度情報に対応する位置に書籍情報も付加される。したがって、特定の書籍のみならず、地図を有する種々の書籍が利用可能となる。
【００１６】
また、請求項４記載の発明によれば、移動体側であるユーザは、ＧＰＳ端末としてのＧＰＳ付携帯電話を用いることにより、携帯性が向上すると共に電源管理も容易となるため、モータバイクドライバや歩行者のナビゲーションとしても利用可能となる。
【００１７】
また、請求項５記載の発明によれば、書籍は地図上の位置に対応する走行ガイド及び観光ガイドが付された地図帳であるので、現在地情報のみならず、その近辺の走行情報及び観光情報も同時に得ることができる。
【００１８】
【発明の実施の形態】
以下、本発明の実施の形態を図面に基づいて説明する。図２は本発明に係る索引情報提供装置を用いたシステムを示す図である。図２に示すように、索引情報提供装置を用いたシステムは、ユーザ１側、携帯電話オペレータ２側、これにインターネット３で通信接続されたＡＳＰ４側から構成される。ユーザ１は例えばモータバイク１１のドライバとする。勿論、ユーザ１は、乗用車のドライバであってもよいし、歩行者等であってもよい。ユーザ１は、例えばＧＰＳ付携帯電話等のＧＰＳ端末１２及び地図帳１３を携帯している。
【００１９】
ＧＰＳ端末１２は、基本的に、入力部、表示部、ＧＰＳ受信部、携帯電話通信部を備えている。ここでは、ＧＰＳ端末１２はＧＰＳ付携帯電話として説明する。ＧＰＳ端末１２は、ＧＰＳ（Ｇｌｏｂａｌ  Ｐｏｓｉｔｉｏｎｉｎｇ  Ｓｙｓｔｅｍｓ；全地球測位システム）を構成する複数のＧＰＳ衛星５からのＧＰＳ信号を受信し、これに基づいて緯度経度を取得し、入力部１２ｅの所定操作に応答して、これを携帯電話オペレータ２を介してＡＳＰ４側に送信する。また、ＧＰＳ端末１２は、携帯電話オペレータ２を介してＡＳＰ４側から送信されてくる自端末の緯度経度に対応する索引情報を受信して、これに相当する内容を表示部１２ｆ上に表示する。表示内容は、例えば、１２１ａ〜１２１ｃで示すような「現在地は、［ＸＸＸマップ］の［５７］頁［２Ｂ］です。」等のようなメッセージ１２１である。これについては、後述する。
【００２０】
地図帳１３は、モータバイク１１のガソリンタンク上等に取り付けられる、道路情報、走行ガイド、観光ガイドが印刷されたツーリングマップやロードマップ等である。この他に、地図帳１３としては、地図と共にレストランや宿泊所等が印刷されたグルメマップや地図と共に温泉ガイド等が温泉マップ等であってもよい。利用可能な地図帳１３としては、要は、地図上の位置を示す索引等が付された地図を含む書籍であればよい。
【００２１】
ＧＰＳ端末１２は、携帯電話通信網２２及びこれに接続されたインターネット３を介して、ＡＳＰ４側と通信接続されている。図中、携帯電話オペレータ２の位置情報提供サーバ２１は、サービス加入者であるＧＰＳ端末１２の位置情報を逐次更新登録し、これをＡＳＰ等の所定の利用者に提供するためのものであり、例えば、ＮＴＴドコモがサービス提供するＤＬＰサーバである。本システムでは、このようなサーバを利用して、ＡＳＰ４側でＧＰＳ端末１２の緯度経度を取得するようにしている。
【００２２】
ＡＳＰ４は、インターネット等の広域通信網を使って各種サービスを提供するアプリケーション・サービス・プロバイダとよばれる事業者である。ＡＳＰ４は、サーバ機能を有する索引情報提供装置４１を有している。この索引情報提供装置４１は、基本的に、ＧＰＳ端末１２側から送信されてくる緯度経度を受信して、これを対応する索引情報に変換してＧＰＳ端末１２側に返送する機能を有する。索引情報提供装置４１については、図４を用いて後で説明を加える。
【００２３】
次に、図３及び図４を用いて、上記ＧＰＳ端末及び索引情報提供装置の構成について説明する。図３及び図４はそれぞれ、ＧＰＳ端末及び索引情報提供装置の構成を示すブロック図である。
【００２４】
図３に示すように、ＧＰＳ端末１２は、予め定めたプログラムにしたがってこの端末全体の動作の制御等を行う中央演算処理装置（ＣＰＵ）１２ａを有している。このＣＰＵ１２ａには、バスＢを介してＣＰＵ１２ａのためのプログラム等を格納した読み出し専用のメモリであるＲＯＭ１２ｂ、ＣＰＵ１２ａの処理作業に必要な各種データを格納する作業エリア等を有する読み出し書き込み自在のメモリであるＲＡＭ１２ｃが接続されている。
【００２５】
ＣＰＵ１２ａには更に、記憶部１２ｄがバスＢを介して接続されており、この記憶部１２ｄには、少なくとも、このＧＰＳ端末１２を特定可能な端末ＩＤが記憶されている。ＣＰＵ１２ａには更にバスＢを介して、入力部１２ｅ。表示部１２ｆ、ＧＰＳ受信部１２ｇ、携帯電話通信部１２ｈが接続されている。なお、各部とバスＢとの間に介在するインターフェース回路は省略されている。
【００２６】
テンキー等で構成される入力部１２ｅから入力された各種入力データは、バスＢに供給されてＣＰＵ１２ａに入力される。表示部１２ｆは、液晶ディスプレイ等を用いて構成され、ＣＰＵ１２ａから指示される内容を表示する。ＧＰＳ受信部１２ｇは、ＧＰＳアンテナを介してＧＰＳを構成する複数のＧＰＳ衛星５からのＧＰＳ信号を受信し、これに基づいて緯度経度を取得し、これをバスＢを介してＣＰＵ１２ａに供給する。携帯電話通信部１２ｈは、携帯電話用アンテナを介して、携帯電話通信網２２に無線接続される。なお、図示しないが、ＧＰＳ端末１２は、信号受信時に着信音を発する着信音発生部を有していてもよい。このＧＰＳ端末１２としては例えばＧＰＳ付携帯電話が利用可能であるが、本発明において通話機能は必ずしも必要でないので、上記構成を有していればＧＰＳ付携帯電話でなくてもよい。
【００２７】
図４に示すように、索引情報提供装置４１は、周知のパーソナル・コンピュータを利用したサーバであり、予め定めたプログラムにしたがって装置全体の動作の制御等を行う中央演算処理装置（ＣＰＵ）４１ａを有している。このＣＰＵ４１ａには、バスＢを介してＣＰＵ４１ａのためのプログラム等を格納した読み出し専用のメモリであるＲＯＭ４１ｂ、ＣＰＵ４１ａの処理作業に必要な各種データを格納する作業エリア等を有する読み出し書き込み自在のメモリであるＲＡＭ４１ｃが接続されている。
【００２８】
ＣＰＵ４１ａには更に、記憶部４１ｄがバスＢを介して接続されており、この記憶部４１ｄにはハードディスク等を用いている。記憶部４１ｄは、コンピュータを索引情報提供装置として機能させるためのプログラムファイルや各種データベース等を記憶している。また、記憶部４１ｄは、索引テーブル４１１を記憶している。索引テーブル４１１は、図５で示すように、書籍名、頁、索引、緯度経度が対応付けられたものである。例えば、このテーブル４１１によると、ｘｘｘマップ（図中、４１１ａで示す）の５７頁（図中、４１１ｂで示す）の索引２Ｂ（図中、４１１ｃで示す）に対応する箇所は、緯度３６°１５′、経度１３７°３３′（図中、４１１ｄで示す）に対応することがわかる。このような内容のテーブルが、複数の書籍の地図が印刷された頁に割り当てられて記憶されている。記憶部４１ｄは、請求項中の格納手段に対応する。
【００２９】
なお、ＧＰＳ端末１２のユーザが携帯する書籍が１種類に予め定められている場合には、索引テーブル４１１に書籍名は必ずしも必要ではないが、上記のように、書籍名を付加しておくことにより、１種類の書籍のみならず、種々の書籍が利用可能となり、汎用性が広がる。
【００３０】
また、頁及び索引は、通常、既成の地図帳には付されているものなので、既成の地図帳に新たに手を加える必要がないため、より安価にサービスを提供するための一助となる。
【００３１】
ＣＰＵ４１ａには更にバスＢを介して、入力部４１ｅ。表示部４１ｆ、通信部４１ｇが接続されている。なお、各部とバスＢとの間に介在するインターフェース回路は省略されている。キーボードやマウスを有して構成する入力部４１ｅから入力された各種入力データは、バスＢに供給されてＣＰＵ４１ａに入力される。表示部４１ｆは、ＣＲＴや液晶ディスプレイ等を用いて構成され、ＣＰＵ４１ａから指示される内容を表示する。通信部４１ｇは、この索引情報提供装置をインターネット３に通信接続するための部位であり、図示しないルータ及びＤＳＵ等から構成される。
【００３２】
次に、図６及び図７を加えて、本発明の一実施形態に係る通信シーケンス、処理手順について説明する。図６は、本発明の一実施形態に係るＧＰＳ端末側及びＡＳＰ側における処理手順、並びに、これらの間における通信シーケンスを示すフローチャートである。図７は、地図が印刷された頁の一例を示す図である。
【００３３】
図６のＧＰＳ端末側のステップＳ１０１においては、起動されて位置登録済みのＧＰＳ端末１２において、索引情報の要求トリガが待機されている（ステップＳ１０１のＮ）。このトリガは、例えば、ＧＰＳ端末１２の入力部１２ｅとしてのテンキーによる、索引情報を受信するための所定の発呼操作である。この要求トリガがあると（ステップＳ１０１のＹ）、ステップＳ１０２に進んで、上記ＧＰＳ受信部１２ｇを介してＧＰＳ信号が受信されて、ここから少なくとも緯度経度情報が取得される。そして、ステップＳ１０３に進んで、ＡＳＰ側に、取得した緯度経度情報に対応する索引情報を要求するための索引情報要求信号、ステップＳ１０２で取得した緯度経度情報、及び記憶部１２ｄに記憶される端末ＩＤ１２１が送信される。これらは、携帯電話通信部１２ｈ、携帯電話オペレータ２、及びインターネット３を経由して、ＡＳＰ４の索引情報提供装置４１に至る。上記ステップＳ１０１は請求項中の受信手段に対応し、ステップＳ４０３及びステップＳ４０４は請求項中の抽出手段に対応し、ステップＳ４０５は請求項中の送信手段に対応する。
【００３４】
なお、複数の書籍が対象となっている場合には、ステップＳ１０１において、書籍を特定するコードも入力されて発呼される。そして、ステップＳ１０３において、この書籍を特定するコードも同時に送信される。
【００３５】
また、ＡＳＰ側のステップＳ４０１においては、ＧＰＳ端末側から送信されてくる索引情報要求信号、緯度経度情報、及び端末ＩＤが受信待機されている（ステップＳ４０１のＮ）。索引情報要求信号、緯度経度情報、及び端末ＩＤが通信部４１ｇを介して受信されると（ステップＳ４０１のＹ）、ステップＳ４０２に進んで、索引情報要求元がこのサービスの加入者であるか否かが判定される。すなわち、受信された端末ＩＤと、記憶部４１ｄに記憶されるこのナビゲーション情報提供サービスの加入者情報と、が比較されて、索引情報要求元がこのサービスに加入しているか否かが判定される。ここで、索引情報要求元がこのサービスの加入者であると判定されるとステップＳ４０３に進み（ステップＳ４０２のＹ）、さもなければ、ＧＰＳ端末側に否認情報を返送する等の処理を行う。
【００３６】
ステップＳ４０３においては索引テーブルが参照され、続いてステップＳ４０４において受信した緯度経度情報に対応する索引情報が抽出される。例えば、受信した緯度経度情報が図５の４１１ｄに示すような緯度経度を示すものであるとすると、これに対応する頁（図中、４１１ｂに示す）及び索引（図中、４１１ｃに示す）が、索引情報として索引テーブル４１１から抽出される。書籍を特定するコードも受信されている場合には、このコードに対応する書籍（図中、４１１ａに示す）における、頁（図中、４１１ｂに示す）及び索引（図中、４１１ｃに示す）が、索引情報として抽出される。そして、ステップＳ４０５においては、この抽出された索引情報が、通信部４１ｇから上記と逆方向にＧＰＳ端末側に送信され、ＧＰＳ端末１２に至る。
【００３７】
ＧＰＳ端末側のステップＳ１０４においては、索引情報が受信待機されており（ステップＳ１０４のＮ）、ＡＳＰ側から送信されてくる索引情報が、携帯電話通信部１２ｈを介して受信されるとステップＳ１０５に進む（ステップＳ１０４のＹ）。ステップＳ１０５においては、受信された索引情報が表示部１２ｆ上に表示される。必ずしも必要ではないが、所定の着信音を同時に発するようにしてもよい。例えば、受信された索引情報は、図１に示すように、「現在地は、［ＸＸＸマップ］の［５７］頁［２Ｂ］です。」のメッセージ１２１として表示される。メッセージ１２１は表示のみならず、音声にて知らせるようにしてもよい。なお、メッセージ１２１中、［ＸＸＸマップ］、［５７］及び［２Ｂ］はそれぞれ、上記索引テーブル４１１中の書籍４１１ａ、頁４１１ｂ及び索引４１１ｃに対応する。
【００３８】
このようなメッセージ１２１をみたユーザ１は、図７に示すような、携帯する地図帳１３の５７頁を開き、まず、索引２Ｂに該当する箇所に自分がいることを知ることができる。これと同時にユーザ１は、地名や、図中、１３ｋ、１３ｌ、１３ｍに示すような情報も得ることができる。更に、ユーザ１は、索引２Ｂの近傍の地形や、地名、案内情報等も得ることができる。すなわち、従来のナビゲーション装置では、一度に得ることができなかった広範で詳細な情報を同時に得ることができる。
【００３９】
このように、本発明の実施形態によれば、ユーザに大きな出費を強いることなく、現在地近辺の多くの有用な情報を取得できる装置及びナビゲーションシステムが提供される。また、ＧＰＳ付携帯電話を利用することにより、携帯性が向上すると共に電源管理も容易となるため、モータバイクドライバや歩行者のナビゲーションとしても利用可能となる。
【００４０】
なお、本発明でいう索引情報は、単に、地図の各頁に付された英数字等の索引に限定されるものでなく、地図上の位置を特定できるものであれば他のものであってもよい。例えば、図７の１３ｄに示すように、地図が印刷された頁に緯度経度を直接的に数字で付してもよい。また、上述したように、本発明でいう書籍は、単に、ツーリングマップやロードマップに限定されるものでなく、地図に索引情報が付されたものであれば何でもよい。
【００４１】
【発明の効果】
以上説明したように、請求項１及び６記載の発明によれば、特定のＧＰＳ端末側から送信されてくる現在地に対応する緯度経度情報が受信され、緯度経度とこの緯度経度に対応する前記地図上の位置とを関連づけたテーブルが参照されて、受信した緯度経度情報に対応する地図上の位置が索引情報として抽出される。そして、この索引情報が、緯度経度情報を送信してきた特定のＧＰＳ端末側に返送される。したがって、移動体側では、受信した索引情報及び携帯する書籍に印刷された地図を参照して、現在地を即座に確認できる。この結果、移動体側であるユーザは、高価なナビゲーション装置を所有することなく、現在地を確認できるようになる。また、書籍に印刷された地図から現在地を参照するので、既成のナビゲーション装置に比べて、遥かに多くの索引情報を一度に得ることができる。
【００４２】
請求項２記載の発明によれば、緯度経度に対応する地図が印刷された頁とこの頁に付された索引とで現在地が示されるので、基本的に、既成の書籍に新たに手を加える必要がないため、より安価にサービスを提供することができる。
【００４３】
請求項３記載の発明によれば、上述のような緯度経度情報に対応する位置に書籍情報も付加される。したがって、特定の書籍のみならず、地図を有する種々の書籍が利用可能となり、汎用性が広がる。
【００４４】
請求項４記載の発明によれば、移動体側であるユーザは、ＧＰＳ端末としてのＧＰＳ付携帯電話を用いることにより、携帯性が向上すると共に電源管理も容易となるため、モータバイクドライバや歩行者のナビゲーションとしても利用可能となる。
【００４５】
請求項５記載の発明によれば、書籍は地図上の位置に対応する走行ガイド及び観光ガイドが付された地図帳であるので、現在地情報のみならず、その近辺の走行情報及び観光情報も同時に得ることができる。
【図面の簡単な説明】
【図１】本発明の索引情報提供装置の基本構成を示す図である。
【図２】本発明に係る索引情報提供装置を用いたシステムを示す図である。
【図３】ＧＰＳ端末の構成を示すブロック図である。
【図４】索引情報提供装置の構成を示すブロック図である。
【図５】索引テーブルを例示する図である。
【図６】本発明の一実施形態に係るＧＰＳ端末側及びＡＳＰ側における処理手順、並びに、これらの間における通信シーケンスを示すフローチャートである。
【図７】地図が印刷された頁の一例を示す図である。
【符号の説明】
１  ユーザ
２  携帯電話オペレータ
３  インターネット
４  ＡＳＰ
５  ＧＰＳ衛星
１１  モータバイク
１２  ＧＰＳ端末
１３  地図帳
２１  携帯電話通信網
２２  位置情報提供サーバ
４１  索引情報提供装置
【図１】
2004264108.tif 000003
【図２】
2004264108.tif 000004
【図３】
2004264108.tif 000005
【図４】
2004264108.tif 000006
【図５】
2004264108.tif 000007
【図６】
2004264108.tif 000008
【図７】
2004264108.tif 000009